(57)【特許請求の範囲】
【請求項１】
上端に太陽電池モジュール等の物品が取り付けられる３本の支柱を取り付ける支柱保持具であって、
上下に離隔して配置される上座と下座と、
上座と下座との間に設けられた挿通部材とからなり、
挿通部材は、杭または支柱が通される筒状の案内部材が上下に離隔して配置されるとともに、この上下の案内部材の間に案内部材と同軸上に設けられて前記杭または支柱を固定する締付具が配置されて形成され、
前記上座および前記下座は、平面視略三角形状とされ、
前記挿通部材が、この平面視略三角形状の各頂点部と各端辺中央部とにそれぞれ設けられ、
前記頂点部の挿通部材と端辺中央部の挿通部材、及び、端辺中央部の挿通部材同士が、それぞれ連結され、
前記３本の支柱が、各端辺中央部の挿通部材に固定されるとともに、各頂点部の挿通部材に杭が挿通される
ことを特徴とする支柱保持具。
【請求項２】
挿通部材を構成する案内部材および締付具は、一対の支持材に固定されて上座と下座の間に配置され、
支持材は、長方形状の板材とされ、上下方向中央部に矩形状の開口部が形成され、さらに、上部および下部には、それぞれ上下方向外側へ開口する矩形状の切欠き部が形成され、一方の支持材の開口部は、他方の支持材の開口部より大きく形成され、
一対の支持材は、案内部材および締付具を挟み込んだ状態で設けられ、各支持材は、上座と下座の頂点部同士、および、上座と下座の各端辺の中央部同士を連結するように、その上下端部がそれぞれ上座、下座に固定され、
締付具は、その周側壁が、各支持材の開口部にはまるように配置されて、溶接にて他方の支持材に固定される
ことを特徴とする請求項１に記載の支柱保持具。
【請求項３】
締付具の上方位置および下方位置に円形状のスペーサ材が設けられ、スペーサ材は、その中央部に円形の貫通穴が形成されていると共に、支持材が通される溝が、貫通穴の外周部に連接されて形成され、スペーサ材は、その溝に支持材が通されて、締付具の上下に配置され、溶接にて支持材に固定される
ことを特徴とする請求項２に記載の支柱保持具。
【発明の詳細な説明】
【技術分野】
【０００１】
本発明は、各種物品の支柱を保持する支柱保持具に関するものである。
【背景技術】
【０００２】
たとえば、太陽電池モジュールが載せ置かれる架台を支持する支柱や、各種看板などが取り付けられる支柱は、従来、その下端部が地面にコンクリートなどで固定されている。
【発明の概要】
【発明が解決しようとする課題】
【０００３】
しかしながら、支柱をコンクリートにより固定する場合、設置に時間がかかってしまうと共に、不要となった場合には、コンクリートを産業廃棄物として処理する必要があり、撤去処理が面倒であった。
【０００４】
本発明が解決しようとする課題は、支柱の設置および撤去が容易な支柱保持具を提供することにある。
【課題を解決するための手段】
【０００５】
本発明は、前記課題を解決するためになされたもので、請求項１に記載の発明は、上端に太陽電池モジュール等の物品が取り付けられる３本の支柱を取り付ける支柱保持具であって、上下に離隔して配置される上座と下座と、上座と下座との間に設けられた挿通部材とからなり、挿通部材は、杭または支柱が通される筒状の案内部材が上下に離隔して配置されるとともに、この上下の案内部材の間に案内部材と同軸上に設けられて前記杭または支柱を固定する締付具が配置されて形成され、前記上座および前記下座は、平面視略三角形状とされ、前記挿通部材が、この平面視略三角形状の各頂点部と各端辺中央部とにそれぞれ設けられ、前記頂点部の挿通部材と端辺中央部の挿通部材、及び、端辺中央部の挿通部材同士が、それぞれ連結され、前記３本の支柱が、各端辺中央部の挿通部材に固定されるとともに、各頂点部の挿通部材に杭が挿通されることを特徴とする支柱保持具である。
【０００６】
請求項２に記載の発明は、挿通部材を構成する案内部材および締付具は、一対の支持材に固定されて上座と下座の間に配置され、支持材は、長方形状の板材とされ、上下方向中央部に矩形状の開口部が形成され、さらに、上部および下部には、それぞれ上下方向外側へ開口する矩形状の切欠き部が形成され、一方の支持材の開口部は、他方の支持材の開口部より大きく形成され、一対の支持材は、案内部材および締付具を挟み込んだ状態で設けられ、各支持材は、上座と下座の頂点部同士、および、上座と下座の各端辺の中央部同士を連結するように、その上下端部がそれぞれ上座、下座に固定され、締付具は、その周側壁が、各支持材の開口部にはまるように配置されて、溶接にて他方の支持材に固定されることを特徴とする請求項１に記載の支柱保持具である。
【０００７】
さらに、請求項３に記載の発明は、締付具の上方位置および下方位置に円形状のスペーサ材が設けられ、スペーサ材は、その中央部に円形の貫通穴が形成されていると共に、支持材が通される溝が、貫通穴の外周部に連接されて形成され、スペーサ材は、その溝に支持材が通されて、締付具の上下に配置され、溶接にて支持材に固定されることを特徴とする請求項２に記載の支柱保持具である。
【発明の効果】
【０００８】
本発明によれば、容易に支柱を設置できると共に、撤去も容易な支柱保持具を提供できる。
【図面の簡単な説明】
【０００９】
【図１】本発明の支柱保持具の一実施例を示す斜視図である。
【図２】図１の支柱保持具の分解斜視図である。
【図３】図１のＡ部の分解斜視図である。
【図４】図１のＢ部の分解斜視図である。
【図５】締付具を示す断面図である。
【図６】図１の支柱保持具に取り付けられた支柱に、太陽電池モジュールが設けられる架台が取り付けられた状態を示す斜視図である。
【図７】図６の分解斜視図である。
【図８】図６の一部を示す図であり、支柱下部と支柱保持具を示す図である。
【図９】図６のＣ部を示す斜視図である。
【図１０】図９の分解斜視図である。
【図１１】図６の架台を示す図である。
【図１２】図６の架台に太陽電池モジュールを取り付けた状態を示す図である。
【図１３】図１２のＤ部を示す図である。
【図１４】第一係止具を示す斜視図である。
【図１５】図１４の第一係止具の断面図である。
【図１６】図１２のＥ部を示す図である。
【図１７】図１６における第二係止具の縦断面図である。
【発明を実施するための形態】
【００１０】
以下、本発明の支柱保持具の一実施例について図面に基づいて具体的に説明する。
【００１１】
図１は、本発明の支柱保持具の一実施例を示す斜視図である。
図２は、図１の支柱保持具の分解斜視図である。
図３は、図１のＡ部の分解斜視図であり、図４は、図１のＢ部の分解斜視図である。
【００１２】
本実施例の支柱保持具１は、上下に離隔して配置される板状の上座３および下座５と、座３，５間に設けられ、杭または支柱が通される挿通部材１１とを主要部に備える。
【００１３】
下座５は、略三角形状とされ、その頂点部（角部）および各端辺の中央部には、上下に沿って略円形の貫通穴１５，１７が形成されている。
【００１４】
上座３は、略三角形状とされ、その頂点部（角部）および各端辺の中央部には、上下に沿って略円形の貫通穴１９，２１が形成されている。
また、上座３には、適宜の穴、たとえば略三角形状の４個の穴２５が形成されている。
【００１５】
挿通部材１１は、各座３，５の頂点部同士、および各座３，５の各端辺の中央部同士を架け渡すように配置される。本実施例では、座３，５間に、６つの挿通部材１１が設けられる。
【００１６】
挿通部材１１は、筒状の案内部材３１と、杭または支柱を固定する締付具３５とを備える。本実施例では、上下に離隔して２つの案内部材３１，３１が設けられ、この案内部材３１，３１間に締付具３５が配置される。案内部材３１は、軸方向を上下に向けて配置される。
【００１７】
図５は、締付具を示す断面図である。
【００１８】
締付具３５は、円筒体の一部が軸方向に切り欠かれた略Ｃ字形状の部材とされる。締付具３５は、その開口端部同士が、近接および離隔可能に撓み変形可能とされる。また、締付具３５の開口端部には、外方へ延出して矩形状の板片３７，３９が一体に形成されている。一方の板片３７には、貫通穴４１が形成されており、他方の板片３９には、ネジ穴４３が貫通して形成されている。
【００１９】
本実施例では、各挿通部材１１を構成する案内部材３１および締付具３５は、一対の支持材４７，４７に固定されて座３，５間に配置される。
【００２０】
支持材４７は、長方形状の板材とされ、上下方向中央部に矩形状の開口部５１が形成され、さらに、上部および下部には、それぞれ上下方向外側へ開口する矩形状の切欠き部５３が形成されている。なお、図示例では、一方の支持材４７の開口部５１は、他方の支持材４７の開口部５１より大きく形成されている。
【００２１】
一対の支持材４７，４７は、案内部材３１および締付具３５を挟み込んだ状態で設けられ、各支持材４７は、上座３と下座５の頂点部同士、および、各座３，５の各端辺の中央部同士を連結するように、その上下端部が各座３，５に固定される。
【００２２】
具体的には、締付具３５は、その周側壁が、各支持材４７の開口部５１にはまるように配置されて、溶接にて他方の支持材４７に固定される。
【００２３】
そして、締付具３５の上方位置および下方位置に円形状のスペーサ材６１，６１が設けられる。スペーサ材６１は、その中央部に円形の貫通穴６３が形成されていると共に、支持材４７が通される溝６５が、貫通穴６３の外周部に連接されて形成されている。
【００２４】
スペーサ材６１は、その溝６５に支持材４７が通されて、締付具３５の上下に配置され、溶接にて支持材４７，４７に固定される。
【００２５】
案内部材３１は、支持材４７，４７間に配置され、その周側壁が支持材４７の切欠き部５３にはめ込まれた状態で、上側の案内部材３１は、上座３の貫通穴１９，２１にはめ込まれ、下側の案内部材３１は、下座５の貫通穴１５，１７にはめ込まれる。
そして、各支持材４７の上下端部は、それぞれ各座３，５に形成された溝１９ａ，２１ａ，１５ａ，１７ａにはめ込まれてそれぞれ溶接されて固定される。本実施例では、貫通穴１９，２１，１５，１７の外周部に連接して溝１９ａ，２１ａ，１５ａ，１７ａが形成されている。
【００２６】
このように、案内部材３１および締付具３５が設けられた状態では、案内部材３１および締付具３５は同軸上に配置される。
【００２７】
また、本実施例では、挿通部材１１，１１間の離隔距離は同じとされている。
つまり、平面視において、上座３および下座５は、正三角形状とされ、その各頂点部と各端辺中央部とに挿通部材１１が配置される。
【００２８】
本実施例では、座３，５間に、補助板７１が設けられる。補助板７１は、矩形板状とされ、その上下端部がそれぞれ上座３および下座５に固定される。本実施例では、各座３，５の頂点部に設けられた挿通部材１１（１１Ａ）と、各座３，５の各端辺中央部に設けられた挿通部材１１（１１Ｂ）とを連結するように、および、各座３，５の各端辺中央部に設けられた挿通部材１１（１１Ｂ），１１（１１Ｂ）同士を連結するように設けられる。本実施例では、９つの補助板７１が設けられる。
【００２９】
具体的には、補助板７１は、両側端部の中央部に、矩形状の切欠き７３が形成されている。また、上下端辺部には、それぞれ上下方向外側へ突出して矩形状の突出部７５が、各端辺に沿って離隔して複数形成されている。
【００３０】
補助板７１は、隣接する挿通部材１１，１１間に配置され、その両側端部が、それぞれ各挿通部材１１の案内部材３１の周側壁に溶接にて固定されると共に、上下端部の突出部７５が各座３，５に形成された溝７７，７８にはめ込まれて溶接にて固定されている。
【００３１】
本実施例では、支柱保持具１の各頂点部に、フックが引っ掛けられる引っ掛け部８１が設けられている。
【００３２】
引っ掛け部８１は、中央部が矩形板状とされ、その上下端部は、拡幅して形成されている。そして、その上下端部には、円形状の貫通穴８３，８３が形成されている。
【００３３】
引っ掛け部８１は、その上下端部がそれぞれ上座３および下座５に固定されて設けられている。引っ掛け部８１の上座３への固定部には、貫通穴８５が形成されており、この貫通穴８５を介して引っ掛け部８１にフックを引っ掛けることが可能となる。
【００３４】
このような構成の本実施例の支柱保持具１は、杭により地面に固定されると共に、支柱を保持することが可能である。
【００３５】
図６は、本実施例の支柱保持具に取り付けられた支柱に、太陽電池モジュールが取り付けられる架台が取り付けられた状態を示す斜視図である。
図７は、図６の分解斜視図である。図８は、図６の一部を示す図であり、支柱下部と支柱保持具を示す図である。
【００３６】
以下においては、本実施例の支柱保持具１に取り付けられる支柱に、太陽電池モジュールが設けられる架台が取り付けられる場合について説明する。
【００３７】
本実施例では、３本の杭Ｐが支柱保持具１を介して地面に打ち込まれて固定され、さらに、３本の支柱１０１，１０３，１０５が支柱保持具１に取り付けられる。
【００３８】
図示例では、支柱保持具１は、地面に載置された状態で、頂点部の挿通部材１１（１１Ａ）にそれぞれ杭Ｐが差し込まれて、地面に打ち込まれる。つまり、各挿通部材１１（１１Ａ）の案内部材３１および締付具３５に杭Ｐが通されて地面に打ち込まれる。
そして、杭Ｐが打ち込まれた後、各締付具３５の一方の板片３７から他方の板片３９に向けてボルト１０６をねじ込み、締付具３５を杭Ｐに固定させることで、支柱保持具１が地面に固定される。なお、補助板７１の切欠き７３を介してボルト１０６をねじ込むことが可能とされる。
【００３９】
支柱１０１，１０３，１０５は、棒状とされ、本実施例では金属製のパイプが用いられる。支柱１０１，１０３，１０５は、支柱保持具１の各端辺中央部に設けられた挿通部材１１（１１Ｂ）に通されて設けられる。つまり、支柱１０１，１０３，１０５は、各挿通部材１１（１１Ｂ）の案内部材３１および締付具３５に通される。そして、挿通部材１１に通された各支柱１０１，１０３，１０５は、締付具３５により支柱保持具１に固定される。
【００４０】
本実施例では、前方に１つの支柱１０１が配置され、後方に２つの支柱１０３，１０５が、左右に離隔して配置される。
【００４１】
また、本実施例では、図６に示すように、前方に配置された１本の支柱１０１は、後方に配置される支柱１０３，１０５より短く形成されており、後方の２つの支柱１０３，１０５は同じ長さとされる。
【００４２】
図示例では、３本の支柱１０１，１０３，１０５の軸方向中途部に、補強材１０７が取り付けられている。補強材１０７は、各支柱１０１，１０３，１０５に通される締付具１０８と、締付具１０８，１０８同士を連結するように設けられる棒状の連結材１０９とにより構成されている。締付具１０８は、上記締付具３５と同様の構成であるので説明は省略する。
【００４３】
補強材１０７は、締付具１０８により各支柱１０１，１０３，１０５に固定され、支柱１０１，１０３，１０５と一体化されている。
【００４４】
図９は、図６のＣ部を示す斜視図である。図１０は、図９の分解斜視図である。
【００４５】
各支柱１０１，１０３，１０５の上端部には、支持具１１１が取り付けられている。
【００４６】
支持具１１１は、矩形状とされ、各支柱１０１，１０３，１０５の上端部に載せ置かれて、その下端部が各支柱１０１，１０３，１０５の上端部に溶接により固定されている。
【００４７】
支持具１１１の前後方向中央部には、上方へ開口する矩形状の凹部１１３が左右方向に沿って形成されている。この凹部１１３の下端部は、半円形状に形成されている。
【００４８】
また、支持具１１１には、凹部１１３を挟んだ前後位置に、上下方向に貫通する穴１１５，１１５が２つ形成されている。
【００４９】
図１１は、図６の架台を示す斜視図である。
【００５０】
架台１２０は、図１１に示すように、左右に離隔して配置される一対の支持部１２１，１２１と、この支持部１２１，１２１同士を連結する連結部１２３とを備える。
【００５１】
各支持部１２１は、２本の棒材１２５，１２５により構成されている。本実施例では、各棒材１２５は、金属製のパイプにより構成されている。２本の棒材１２５，１２５は、左右に離隔して配置されると共に、軸方向を前後方向に沿うように平行に配置されている。図示例では、棒材１２５，１２５間の隙間は、約１１ｍｍとされている。
【００５２】
連結部１２３は、棒状とされ、本実施例では金属製のパイプにより構成されている。本実施例では、前後に離隔して２本の連結部１２３，１２３が設けられる。
【００５３】
２本の連結部１２３，１２３は、支持部１２１の前後方向（長手方向）中間部から、前後に離隔して配置され、各連結部１２３は、その左右両端部が各支持部１２１に固定される。具体的には、連結部１２３の両端部に、支持部１２１を構成する各棒材１２５が載置されて、各棒材１２５の下面に連結部１２３が溶接にて固定されている。
【００５４】
このように、一対の支持部１２１，１２１が、２つの連結部１２３，１２３に固定されて一体化され、架台１２０が構成されている。
【００５５】
一対の支持部１２１，１２１同士を架け渡すように、さらに補助連結部１２９，１３１が設けられている。本実施例では、支持部１２１の前部に第一補助連結部１２９が設けられ、後部に第二補助連結部１３１が設けられる。
【００５６】
第一補助連結部１２９は、断面Ｌ字形の柱材１３５と、この柱材１３５の両端部に設けられる板片１３７とにより構成される。
【００５７】
柱材１３５は、左右方向に沿って配置され、両端部が、各支持部１２１の下面に溶接により固定される一片１３９と、この一片１３９の前端部から下方へ突出して設けられる他片１４１とによりＬ字形に構成されている。
【００５８】
板片１３７は、矩形状とされ、左右に離隔して２つの貫通穴１３７ａが形成されている。板片１３７は、柱材１３５の左右両端部において、他片１４１の前面に重ね合わされて固定されている。この際、板片１３７は、柱材１３５より上方へ突出して設けられ、２つの貫通穴１３７ａに支持部１２１を構成する２つの棒材１２５が通されており、板片１３７の上端部は、固定箇所において支持部１２１より上方へ突出している。
【００５９】
第二補助連結部１３１は、断面Ｌ字形の柱材１４５と、この柱材１４５の両端部に設けられる板片１４７とを備える。柱材１４５は、左右方向に沿って配置され、左右両端部が、各支持部１２１の下面に溶接により固定される一片１４９と、この一片１４９の後端部から下方へ突出して設けられる他片１５１とによりＬ字形に構成されている。
【００６０】
板片１４７は、矩形状とされ、その上端部には、左右に離隔して２つの半円形状の凹部１５３が上方へ開口して形成されている。板片１４７は、柱材１４５の左右両端部において、柱材１４５の他片１５１に重ね合わされて固定されている。この際、板片１４７は、柱材１４５より上方へ突出して設けられ、その２つの凹部１５３に、支持部１２１を構成する棒材１２５がはめ込まれている。
【００６１】
架台１２０は、２つの連結部１２３が、各支柱１０１，１０３，１０５の上端部に設けられた支持具１１１の凹部１１３にはめ込まれて載せ置かれる。
【００６２】
具体的には、前方の連結部１２３が、前方に配置された１つの支柱１０１の支持具１１１の凹部１１３にはめ込まれ、後方の連結部１２３が、後方に配置された２つの支柱１０３，１０５の支持具１１１の凹部１１３にはめ込まれる。
【００６３】
そして、接続部材１６５により、架台１２０が、支柱１０１，１０３，１０５に固定される。
【００６４】
接続部材１６５は、板状の本体１６７と、この本体１６７から上方へ延出する２本の棒部１６９，１６９とを備える。本体１６７は、湾曲した形状とされ、略Ｃ字形状とされる。そして、この本体１６７の両端部に、棒部１６９，１６９が立設される。棒部１６９は、その上端部の外周面にネジ溝が形成されている。
【００６５】
連結部１２３が支持具１１１に載せ置かれた状態で、接続部材１６５の棒部１６９，１６９が、支持具１１１の穴１１５，１１５に下側から通され、棒部１６９，１６９の上端部に、矩形状の留板１７１がはめ込まれる。留板１７１には、前後に離隔して２つの貫通穴１７１ａ，１７１ａが形成されている。
留板１７１は、貫通穴１７１ａに棒部１６９が通されて、凹部１１３の上部を覆うように取り付けられる。そして、棒部１６９にナット１７３がねじ込まれて、架台１２０が、支柱１０１，１０３，１０５に固定される。
【００６６】
留板１７１が、連結部１２３の上部に設けられることで、連結部１２３の抜けが防止される。
【００６７】
架台１２０が支柱１０１，１０３，１０５に固定された状態では、架台１２０は、前方へ行くにしたがって下方へ傾斜して取り付けられており、本実施例では、約３０°傾斜した状態で架台１２０は支柱保持具１に取り付けられる。
【００６８】
また、本実施例では、架台１２０の連結部１２３が、支持具１１１の凹部１１３にはめ込まれていることで、ナット１７３を緩めた状態では、架台１２０は、支柱１０１，１０３，１０５に対して左右方向に沿って移動可能であり、現場の状況に応じて位置を調整することができる。
【００６９】
図１２は、図６の架台に太陽発電モジュールを取り付けた状態を示す図であり、図１３は、図１２のＤ部を示す図である。
【００７０】
太陽電池モジュールは、矩形板状とされ、支柱１０１，１０３，１０５に取り付けられた架台１２０に載せ置かれて、係止具１８１，１８３により架台１２０に固定される。本実施例では、前後に隣接して２枚の太陽電池モジュールＭ１，Ｍ２が架台１２０に載せ置かれる。前方に配置される太陽電池モジュールＭ１は、第一補助連結部１２９の板片１３７に当接することで、傾斜して設けられた架台１２０から滑り落ちることがない。
【００７１】
本実施例では、支持部１２１の前後両端部に配置される第一係止具１８１と、支持部１２１の中途部に設けられ、隣接する太陽電池モジュールＭ１，Ｍ２間に配置される第二係止具１８３とにより、太陽電池モジュールＭ１，Ｍ２が架台１２０に固定される。
【００７２】
図１４および図１５は、第一係止具を示す図であり、図１４は斜視図、図１５は断面図である。
【００７３】
第一係止具１８１は、円筒体の一部が軸方向に切り欠かれた断面略Ｃ字形状とされる。第一係止具１８１は、その開口端部同士が、近接および離間可能に撓み変形可能とされる。また、第一係止具１８１の開口端部には、外方へ突出して、矩形板状の板片１８５，１８７が一体に形成されている。一方の板片１８５には、板厚方向に沿って貫通穴１８５ａが形成されており、他方の板片１８７には、ネジ穴１８７ａが貫通して形成されている。
【００７４】
また、第一係止具１８１には、その周側壁に径方向外側へ突出して矩形状の板材１８９の一端部が固定されており、この板材１８９の他端部には、丸棒状の係止部１９１が固定されている。係止部１９１は、第一係止具１８１の軸線と平行に配置され、その両端部１９１ａが板材１８９より外方へ突出して設けられている。本実施例では、板材１８９は、第一係止具１８１の開口部に対して周方向に１８０度ずれた位置に設けられている。
【００７５】
第一係止具１８１は、各支持部１２１の左右方向外側の棒材１２５の前後両端部にそれぞれ通されて設けられる。そして、棒材１２５の前端部に設けられた第一係止具１８１は、その係止部１９１の一端部１９１ａが、前方の太陽電池モジュールＭ１の前端部上面に当接するように、周方向の位置決めがなされる。また、棒材１２５の後端部に設けられた第一係止具１８１は、その係止部１９１の一端部１９１ａが、後方の太陽電池モジュールＭ２の後端部上面に当接するように、周方向の位置決めがなされる。係止部１９１の一端部１９１ａが太陽電池モジュールＭ１，Ｍ２に当接した状態で、各第一係止具１８１の一方の板片１８５から他方の板片１８７にボルト１９３がねじ込まれて第一係止具１８１が棒材１２５に固定される。このようにして、前方の太陽電池モジュールＭ１の前端部および後方の太陽電池モジュールＭ２の後端部は、第一係止具１８１と支持部１２１に挟み込まれて、架台１２０に固定される。
【００７６】
図１６は、図１２のＥ部を示す図であり、太陽電池モジュールを仮想線で示している。また、図１７は、図１６に示す第二係止具の縦断面図である。
【００７７】
第二係止具１８３は、前後に隣接する太陽電池モジュールＭ１，Ｍ２間に配置される。第二係止具１８３は、板状の押え部２０１と、この押え部２０１に設けられる取付棒２０３と、この取付棒２０３の下端部に設けられる保持部２０５とを備える。
【００７８】
押え部２０１は、矩形状の板片とされ、左右に離隔して２本の丸棒状のピン部材２０７が、下方へ突出して設けられている。ピン部材２０７は、太陽電池モジュールＭ１，Ｍ２の厚さより短い寸法とされる。
【００７９】
取付棒２０３は、丸棒状とされ、その上端部が押え部２０１の中心部に固定されて、下方へ突出して設けられている。取付棒２０３の下端部外周面には、ネジ溝が形成されている。
【００８０】
保持部２０５は、矩形箱状とされ、本実施例では、板片を組み合わせて構成されている。保持部２０５の前後片２２１，２２１の左右両端部は、上下に突出して凸部２２３が形成されており、この凸部２２３は、上下片２２５，２２５の穴２２５ａを介して上方および下方へ突出している。また、保持部２０５の上下片２２５，２２５の中央部には、取付棒２０３が通される貫通穴２２９が形成されている。
【００８１】
第二係止具１８３は、ピン部材２０７，２０７および取付棒２０３が、太陽電池モジュールＭ１，Ｍ２間に配置され、さらに取付棒２０３は、支持部１２１の棒材１２５，１２５間に通される。そして、押え部２０１は、前方の太陽電池モジュールＭ１の後端部上面および後方の太陽電池モジュールＭ２の前端部上面に当接して設けられる。
【００８２】
保持部２０５は、支持部１２１の下方に配置され、取付棒２０３が上下片２２５，２２５の貫通穴２２９に通される。そして、取付棒２０３の下端部にナット２３１がねじ込まれることで、第二係止具１８３が、支持部１２１に取り付けられる。この際、支持部１２１の２つの棒材１２５は、保持部２０５の前後片２２１，２２１の凸部２２３，２２３間に配置される。このように第二係止具１８３が支持部１２１に取り付けられることで、太
陽電池モジュールＭ１，Ｍ２は、押え部２０１と保持部２０５により挟み込まれて架台１２０に固定される。
【００８３】
本実施例では、架台１２０の支持部１２１が、２本の棒材１２５，１２５により構成されており、その間に第二係止具１８３の取付棒２０３を差し込み、押え部２０１と各棒材１２５，１２５とにより太陽電池モジュールＭ１，Ｍ２を挟み込むことで、太陽電池モジュールＭ１，Ｍ２を安定して架台１２０に取り付けることができる。また、第二係止具１８３の取付棒２０３は、支持部１２１の棒材１２５，１２５間に沿って前後方向に沿って移動可能とされ、太陽電池モジュールを架台１２０に取り付ける際に、調整が可能とされる。
【００８４】
このように、本実施例では、杭Ｐにより固定された支柱保持具１に支柱１０１，１０３，１０５を取り付け、この支柱１０１，１０３，１０５に架台１２０を取り付け、この架台１２０に太陽電池モジュールが設けられる。
【００８５】
本実施例の支柱保持具１は、杭Ｐにより地面に固定されると共に、支柱を保持することが可能であり、支柱の設置が容易である。そして、この支柱に各種物品を取り付けることが可能である。また、締付具３５を緩めることで支柱を取り外すことができ、撤去も容易である。さらに、本実施例では、各座３，５が平板状とされることで、支柱保持具１を積み重ねることができ搬送もし易い。
【００８６】
本発明の支柱保持具は、上記実施例の構成に限らず、適宜変更可能である。
特に、支柱保持具１は、その用途を特に問わない。たとえば、上記実施例では、支柱保持具１に固定された支柱に、太陽電池モジュールを保持する架台を取り付けたが、支柱に他の物品を取り付けてもよい。一例として、支柱保持具により立設された支柱に看板などを取り付けるようにしてもよく、支柱に取り付けられる物品は適宜変更可能である。
【００８７】
また、上記実施例では、平面視略三角形状の座３，５の頂点部の挿通部材１１（１１Ａ）を介して杭を地面に打ち込み、座３，５の各端辺中央部の挿通部材１１（１１Ｂ）に支柱を取り付けたが、杭や支柱を取り付ける位置は、適宜変更可能である。つまり、座３，５の頂点部に設けられた挿通部材１１（１１Ａ）に支柱を取り付けたり、座３，５の各端辺中央部に設けられた挿通部材１１（１１Ｂ）を介して地面に杭を打ち込んだりしてもよい。
【００８８】
さらに、上記実施例では、支柱保持具１（つまり各座３，５）は、平面視略三角形状とされたが、略四角形状やその他の形状であってもよい。たとえば、上下の座３，５を略四角形とした場合、その上下で対応する頂点部同士を連結するように、および、各端辺部中央部同士を連結するように挿通部材を配置すればよい。この場合、挿通部材は、８個設けられる。その他、支柱保持具１（つまり各座３，５）の平面視において、複数の挿通部材１１を単に離隔して平行に配置（一直線上に配置）するなどしてもよい。
このように、座の形状や、挿通部材の配置場所、個数については、適宜変更可能である。
【００８９】
また、上記実施例では、架台１２０は、支柱１０１，１０３，１０５に３０°傾斜して取り付けられたが、１０°や６０°傾斜して取り付けられたり、または水平に取り付けられたりしてもよく、その取付角度は適宜変更可能である。この際、各支柱１０１，１０３，１０５の長さを変更することで、架台１２０の取付角度を変更することができる。
【００９０】
さらに、上記実施例では、架台１２０に太陽電池モジュールを２枚取り付けたが、１枚としたり、３枚以上取り付けるようにしてもよい。
【符号の説明】
【００９１】
３  上座
５  下座
１１  挿通部材
３１  案内部材
３５  締付具
【図１】
0006010643.tif 000002
【図２】
0006010643.tif 000003
【図３】
0006010643.tif 000004
【図４】
0006010643.tif 000005
【図５】
0006010643.tif 000006
【図６】
0006010643.tif 000007
【図７】
0006010643.tif 000008
【図８】
0006010643.tif 000009
【図９】
0006010643.tif 000010
【図１０】
0006010643.tif 000011
【図１１】
0006010643.tif 000012
【図１２】
0006010643.tif 000013
【図１３】
0006010643.tif 000014
【図１４】
0006010643.tif 000015
【図１５】
0006010643.tif 000016
【図１６】
0006010643.tif 000017
【図１７】
0006010643.tif 000018